(57)【要約】【課題】携帯性に優れ、所望の日付における所望の時刻の吉凶を迅速に調べることのできる吉凶早見表を提供する。【解決手段】紙材１０の表面側に１ヶ月の前半の半分の日についての２時間毎の吉凶を表し、紙材１０の裏面側に１ヶ月の後半の半分の日についての２時間毎の吉凶を表す。その紙材１０にラミネートフィルム２０を用いてラミネート加工を施す。また、ラミネートフィルム２０は、長手方向を８６ないし９６ミリメートルとし短手方向を５０ないし６０ミリメートルとする略長方形状の外形を有している。【選択図】図１
0003127883.tif 000002
【実用新案登録請求の範囲】
【請求項１】
表面と裏面とからなるシート材に２時間毎の吉凶を所定の記号で表した吉凶早見表であって、
長手方向を８６ないし９６ミリメートルとし短手方向を５０ないし６０ミリメートルとする略長方形状の外形を有し、
前記シート材には、前記長手方向を日付軸とし前記短手方向を時間軸として、１ヶ月分についての前記２時間毎の吉凶が表され、
前記１ヶ月分のうちの前半または後半のいずれか一方の略半月分についての前記２時間毎の吉凶が前記シート材の表面に表され、他方の略半月分についての前記２時間毎の吉凶が前記シート材の裏面に表されていることを特徴とする、吉凶早見表。
【請求項２】
前記シート材は、前記略長方形状の外形を有するラミネートフィルムによってラミネート加工されていることを特徴とする、請求項１に記載の吉凶早見表。
【請求項３】
前記シート材の表面または裏面の少なくとも一方にポリプロピレン加工が施されていることを特徴とする、請求項１に記載の吉凶早見表。
【請求項４】
前記シート材は、紙材であることを特徴とする、請求項１から３までのいずれか１項に記載の吉凶早見表。
【請求項５】
前記シート材には、５時から２３時までの吉凶が表されていることを特徴とする、請求項１から４までのいずれか１項に記載の吉凶早見表。
【請求項６】
前記シート材には、前記２時間毎の吉凶を表すために２時間毎の時間の境界を表す時間境界線が記され、
前記時間境界線のうち７時と１１時と１３時と１７時とを表す時間境界線には、所定の第１の色が付されていることを特徴とする、請求項１から５までのいずれか１項に記載の吉凶早見表。
【請求項７】
前記シート材には、前記２時間毎の吉凶を表すために２時間毎の時間の境界を表す時間境界線が記され、
前記時間境界線のうち７時と１７時とを表す時間境界線には、所定の第２の色が付され、
前記時間境界線のうち１１時と１３時とを表す時間境界線には、所定の第３の色が付されていることを特徴とする、請求項１から５までのいずれか１項に記載の吉凶早見表。
【請求項８】
前記シート材には、前記２時間毎の吉凶を表すために２時間毎の時間の境界を表す時間境界線が記され、
前記時間境界線のうち７時と１１時と１３時と１７時とを表す時間境界線は、所定の第１の種類の線で記され、
前記時間境界線のうち７時と１１時と１３時と１７時とを表す時間境界線以外の時間境界線は、所定の第２の種類の線で記されていることを特徴とする、請求項１から５までのいずれか１項に記載の吉凶早見表。
【請求項９】
前記シート材には、前記２時間毎の吉凶を表すために２時間毎の時間の境界を表す時間境界線が記され、
前記時間境界線のうち７時と１７時とを表す時間境界線は、所定の第３の種類の線で記され、
前記時間境界線のうち１１時と１３時とを表す時間境界線は、所定の第４の種類の線で記されていることを特徴とする、請求項１から５までのいずれか１項に記載の吉凶早見表。
【考案の詳細な説明】
【技術分野】
【０００１】
本考案は、占いに使用される吉凶早見表に関する。
【背景技術】
【０００２】
近年、テレビや雑誌等で様々な占いが取り上げられ、人々は、娯楽のため或いは人生における様々な問題解決のために占いを利用している。そのような占いの１つとして風水による占いが広く知られている。風水は、古代中国の思想で、都市、住居、建物、墓などの位置（方位）を決定するために古くから用いられている。
【０００３】
ところで、風水による占いにおいて、２時間毎に吉凶（縁起の良し悪し）の判断がなされることがある。（１日の）２４時間を１２支と対応付けると、２時間がひとつの支に対応付けられるからである。そして、そのような２時間毎の吉凶を一般の人（占いの利用者）でも容易に調べることができるように、２時間毎の吉凶を表形式で表した吉凶早見表が作成されている。利用者は、この吉凶早見表を見ることにより、所望の日付における所望の時刻の吉凶を迅速に調べることができる。
【考案の開示】
【考案が解決しようとする課題】
【０００４】
ところが、従来の吉凶早見表は携帯性を考慮することなく作成されている。例えば、従来の吉凶早見表は一般的な財布よりも大きなサイズであるため、吉凶早見表を財布に格納するためには折り畳む等しなければならない。このため、吉凶早見表が携帯されることは少なく、外出時に利用者が吉凶早見表を見て吉凶を調べるということはあまりなされていない。
【０００５】
そこで、本考案では、携帯性に優れ、所望の日付における所望の時刻の吉凶を迅速に調べることのできる吉凶早見表を提供することを目的とする。
【課題を解決するための手段】
【０００６】
第１の考案は、表面と裏面とからなるシート材に２時間毎の吉凶を所定の記号で表した吉凶早見表であって、
長手方向を８６ないし９６ミリメートルとし短手方向を５０ないし６０ミリメートルとする略長方形状の外形を有し、
前記シート材には、前記長手方向を日付軸とし前記短手方向を時間軸として、１ヶ月分についての前記２時間毎の吉凶が表され、
前記１ヶ月分のうちの前半または後半のいずれか一方の略半月分についての前記２時間毎の吉凶が前記シート材の表面に表され、他方の略半月分についての前記２時間毎の吉凶が前記シート材の裏面に表されていることを特徴とする。
【０００７】
第２の考案は、第１の考案において、
前記シート材は、前記略長方形状の外形を有するラミネートフィルムによってラミネート加工されていることを特徴とする。
【０００８】
第３の考案は、第１の考案において、
前記シート材の表面または裏面の少なくとも一方にポリプロピレン加工が施されていることを特徴とする。
【０００９】
第４の考案は、第１から第３までのいずれかの考案において、
前記シート材は、紙材であることを特徴とする。
【００１０】
第５の考案は、第１から第４までのいずれかの考案において、
前記シート材には、５時から２３時までの吉凶が表されていることを特徴とする。
【００１１】
第６の考案は、第１から第５までのいずれかの考案において、
前記シート材には、前記２時間毎の吉凶を表すために２時間毎の時間の境界を表す時間境界線が記され、
前記時間境界線のうち７時と１１時と１３時と１７時とを表す時間境界線には、所定の第１の色が付されていることを特徴とする。
【００１２】
第７の考案は、第１から第５までのいずれかの考案において、
前記シート材には、前記２時間毎の吉凶を表すために２時間毎の時間の境界を表す時間境界線が記され、
前記時間境界線のうち７時と１７時とを表す時間境界線には、所定の第２の色が付され、
前記時間境界線のうち１１時と１３時とを表す時間境界線には、所定の第３の色が付されていることを特徴とする。
【００１３】
第８の考案は、第１から第５までのいずれかの考案において、
前記シート材には、前記２時間毎の吉凶を表すために２時間毎の時間の境界を表す時間境界線が記され、
前記時間境界線のうち７時と１１時と１３時と１７時とを表す時間境界線は、所定の第１の種類の線で記され、
前記時間境界線のうち７時と１１時と１３時と１７時とを表す時間境界線以外の時間境界線は、所定の第２の種類の線で記されていることを特徴とする。
【００１４】
第９の考案は、第１から第５までのいずれかの考案において、
前記シート材には、前記２時間毎の吉凶を表すために２時間毎の時間の境界を表す時間境界線が記され、
前記時間境界線のうち７時と１７時とを表す時間境界線は、所定の第３の種類の線で記され、
前記時間境界線のうち１１時と１３時とを表す時間境界線は、所定の第４の種類の線で記されていることを特徴とする。
【考案の効果】
【００１５】
上記第１の考案によれば、吉凶早見表は、長手方向を８６ないし９６ミリメートルとし短手方向を５０ないし６０ミリメートルとする略長方形状の外形を有している。すなわち、吉凶早見表はほぼ名刺サイズとなっている。このため、従来に比して携帯性に優れた吉凶早見表が実現される。また、シート材の表面と裏面とで合わせて１月分についての吉凶が表されている。このため、ほぼ名刺サイズという比較的小さな領域が吉凶を表すために効率的に使用される。
【００１６】
上記第２の考案によれば、吉凶が表されているシート材はラミネート加工が施されている。このため、吉凶早見表の強度が高まり、折れたり破れたりすることが抑制される。また、シート材はラミネートフィルムに覆われるので、防水効果や防汚効果を奏することができる。
【００１７】
上記第３の考案によれば、吉凶が表されているシート材はポリプロピレン加工が施されている。このため、吉凶早見表の強度が高まり、折れたり破れたりすることが抑制される。また、シート材の周囲にフィルム状の縁（ふち）が不要となるので、吉凶の記号を大きくすることにより視認性を向上させることができる。
【００１８】
上記第４の考案によれば、携帯性に優れた吉凶早見表を安価に作成することができる。
【００１９】
上記第５の考案によれば、吉凶早見表には５時から２３時までの吉凶が表されている。換言すれば、２３時から５時までの吉凶は表されていない。このため、吉凶を表す記号のサイズを大きくすることができる。これにより、一般的に人の起きている時間における吉凶がほぼ名刺サイズという比較的小さな領域に効率的に表され、吉凶を表す記号が視認困難になるほど小さくなることを抑制することができる。
【００２０】
上記第６の考案によれば、７時と１１時と１３時と１７時とを表す時間境界線には第１の色が付されている。このように人の生活リズムを考慮して時間境界線に色が付されることにより、吉凶早見表の視認性（見易さ）が向上する。
【００２１】
上記第７の考案によれば、７時と１７時とを表す時間境界線には第２の色が付され、１１時と１３時とを表す時間境界線には第３の色が付されている。このため、上記第６の考案と同様、吉凶早見表の視認性（見易さ）が向上する。
【００２２】
上記第８の考案によれば、７時と１１時と１３時と１７時とを表す時間境界線とそれ以外の時間境界線とは異なる種類の線で記されている。このため、上記第６の考案と同様、吉凶早見表の視認性（見易さ）が向上する。
【００２３】
上記第９の考案によれば、７時と１７時とを表す時間境界線は第３の種類の線で記され、１１時と１３時とを表す時間境界線は第４の種類の線で記されている。このため、上記第６の考案と同様、吉凶早見表の視認性（見易さ）が向上する。
【考案を実施するための最良の形態】
【００２４】
以下、添付図面を参照しつつ、本考案の一実施形態について説明する。
【００２５】
＜１．吉凶早見表の構成＞
図１は、本考案の一実施形態に係る吉凶早見表を表面（おもてめん）側から見た図である。この吉凶早見表は、吉凶が表された紙材１０と、紙材１０にラミネート加工を施すためのラミネートフィルム２０とから構成されている。図１に示すように、ラミネートフィルム２０は、この吉凶早見表の外形を形成している。また、ラミネートフィルム２０は、長手方向を８６ないし９６ミリメートルとし、短手方向を５０ないし６０ミリメートルとする略長方形状の形状となっている。一般的な名刺のサイズは長手方向が９１ミリメートル、短手方向が５５ミリメートルであるので、この吉凶早見表はほぼ名刺サイズの大きさになっている。
【００２６】
図２は、図１のＡ−Ａ線断面図である。図１に示す紙材１０は、図２に示すように、表面側の紙材（以下、「表面側紙材」という。）１０ａと裏面側の紙材（以下、「裏面側紙材」という。）１０ｂとから構成されている。また、図１に示すラミネートフィルム２０は、図２に示すように、表面側のラミネートフィルム（以下、「表面側ラミネートフィルム」という。）２０ａと裏面側のラミネートフィルム（以下、「裏面側ラミネートフィルム」という。）２０ｂとから構成されている。これらの構成要素は、表面側から裏面側に向かって、表面側ラミネートフィルム２０ａ、表面側紙材１０ａ、裏面側紙材１０ｂ、裏面側ラミネートフィルム２０ｂの順で積層されている。この吉凶早見表の作成の際には、表面側紙材１０ａに表面側ラミネートフィルム２０ａが圧着され、裏面側紙材１０ｂに裏面側ラミネートフィルム２０ｂが圧着される。そして、端部４０ａ、４０ｂで、表面側ラミネートフィルム２０ａと裏面側ラミネートフィルム２０ｂとが接合される。
【００２７】
＜２．吉凶早見表の内容＞
図１に示すように、この吉凶早見表の表面には長手方向を日付軸とし短手方向を時間軸とする表３０ａが形成されており、当該表３０ａに１ヶ月の前半の半分（本実施形態では１日から１５日まで）の日についての吉凶が表されている。表３０ａには、日付の境界を表すための境界線と２時間毎の時間の境界を表すための境界線（以下、「時間境界線」という。）とが記されている。
【００２８】
本実施形態においては、「快適に流れる時間」は「○」で表され、「普通に流れる時間」は「△」で表され、「ぎこちなく流れる時間」は「×」で表されている。図１において、例えば、３日の１７時から１９時までの２時間は「快適に流れる時間」であることを示している。また、例えば、１１日の９時から１１時までの２時間は「ぎこちなく流れる時間」であることを示している。なお、吉凶を表すための上述の記号は「○」、「△」、「×」に限定されるものではない。
【００２９】
図３は、この吉凶早見表を裏面側から見た図である。この吉凶早見表の裏面には、長手方向を日付軸とし短手方向を時間軸とする表３０ｂが形成されている。この裏面側の表３０ｂには、１ヶ月の後半の半分（本実施形態では１６日から３１日まで）の日についての５時から２３時までの２時間毎の吉凶が表されている。各記号の意味については、上述した表面側と同様である。
【００３０】
以上のように、この吉凶早見表の表面側には１ヶ月の前半の日についての吉凶が表され、裏面側には１ヶ月の後半の日についての吉凶が表されている。すなわち、この吉凶早見表では、表面側と裏面側とで合わせて１ヶ月分についての５時から２３時までの２時間毎の吉凶が表されている。
【００３１】
＜３．効果＞
本実施形態によると、吉凶早見表は、長手方向を８６ないし９６ミリメートルとし、短手方向を５０ないし６０ミリメートルとする略長方形状の形状となっている。すなわち、この吉凶早見表はほぼ名刺サイズの大きさである。このため、名刺入れ、定期入れ、財布等にこの吉凶早見表を容易に格納することができる。これにより、利用者は、いつでもこの吉凶早見表を携帯することができ、時と場所を問わずに所望の日付における所望の時刻の吉凶を迅速に調べることができる。
【００３２】
また、本実施形態では、吉凶早見表の表面側と裏面側とで合わせて１ヶ月分についての吉凶が表されている。すなわち、ほぼ名刺サイズという限られた領域の表面側と裏面側とが効率的に使用されている。このため、吉凶を表す記号が小さくなることを抑制しつつ、１ヶ月分の吉凶を表すことができる。さらに、本実施形態では、吉凶早見表には５時から２３時までの吉凶のみが表されている。換言すれば、この吉凶早見表には２３時から５時までの吉凶は表されていない。このため、一般的に人の起きている時間における吉凶がほぼ名刺サイズという比較的小さな領域に効率的に表され、吉凶を表す記号が視認困難になるほど小さくなることを抑制することができる。
【００３３】
さらにまた、本実施形態では、吉凶が表された紙材１０はラミネート加工が施されている。このため、吉凶早見表の強度が高くなり、例えば折れたり破れたりすることが抑制される。また、紙材１０はラミネートフィルム２０に覆われるので、防水効果や防汚効果を奏することができる。
【００３４】
＜４．変形例＞
＜４．１  第１の変形例＞
上記実施形態においては、表面側紙材１０ａに１ヶ月の前半の吉凶が表され、裏面側紙材１０ｂに１ヶ月の後半の吉凶が表された構成となっているが、本考案はこれに限定されない。１枚の紙材１０の表面側に１ヶ月の前半の吉凶が記され、当該紙材１０の裏面側に１ヶ月の後半の吉凶が表された構成となっていても良い。この場合、図４に示すように、１枚の紙材１０の表面側に表面側ラミネートフィルム２０ａが圧着され、当該紙材１０の裏面側に裏面側ラミネートフィルム２０ｂが圧着される。そして、端部４０ａ、４０ｂで、表面側ラミネートフィルム２０ａと裏面側ラミネートフィルム２０ｂとが接合される。
【００３５】
＜４．２  第２の変形例＞
図５は、上記実施形態の第２の変形例において、吉凶早見表を表面側から見た図である。本変形例においては、時間境界線のうち７時を表す時間境界線５１と１７時を表す時間境界線５４には第２の色としての青色が付され、時間境界線のうち１１時を表す時間境界線５２と１３時を表す時間境界線５３には第３の色としての赤色が付されている。一般的な人にとって、７時頃から１７時頃までは勤労、勉学等のための活動的な時間である。また、１２時頃に昼休みがあるのが一般的である。本変形例では、このような人の生活のリズムを考慮して吉凶早見表の時間境界線に色が付されている。このため、吉凶早見表の視認性（見易さ）が向上する。なお、第２の色および第３の色については、それぞれ青色および赤色に限定されるものではない。また、上記第２の色と第３の色とを同じ色（第１の色）すなわち７時、１１時、１３時、および１７時を表す時間境界線を同じ色にしても良い。
【００３６】
＜４．３  第３の変形例＞
図６は、上記実施形態の第３の変形例において、吉凶早見表を表面側から見た図である。本変形例においては、時間境界線のうち７時を表す時間境界線６１と１１時を表す時間境界線６２と１３時を表す時間境界線６３と１７時を表す時間境界線６４とは第１の種類の線としての太線で記され、それ以外の時間境界線は第２の種類の線としての細線で記されている。また、上記第２の変形例と同様、７時および１７時を表す時間境界線６１、６４と１１時および１３時を表す時間境界線６２、６３とを異なる種類の線で記しても良い。本変形例によっても、上記第２の変形例と同様、吉凶早見表の視認性（見易さ）が向上する。なお、第１の種類の線および第２の種類の線については、それぞれ太線および細線に限定されるものではない。
【００３７】
＜４．４  第４の変形例＞
上記実施形態においては、吉凶が表された紙材１０にはラミネート加工が施されていたが、本考案はこれに限定されない。紙材１０にラミネート加工が施される構成に代えて、紙材１０にポリプロピレン加工（ＰＰ加工）が施される構成にしても良い。この構成によっても、上記実施形態と同様、吉凶早見表の強度が高くなり、例えば折れたり破れたりすることが抑制される。また、ラミネート加工が施される構成とは異なり、図７に示すように、紙材１０の周囲にフィルム状の縁（ふち）が不要となる。このため、吉凶を表す記号を大きくすることができ、視認性が向上する。さらに、ラミネート加工の場合には、紙材１０の両面にフィルムを熱圧着させる必要があるが、ポリプロピレン加工の場合には、紙材１０の表面あるいは裏面の少なくとも一方にフィルムを熱圧着させれば良い。このため、例えば図８（図７のＢ−Ｂ線断面図）に示すように、紙材１０の表面にのみポリプロピレンフィルム５０によってポリプロピレン加工が施されていても良い。
【００３８】
＜４．５  第５の変形例＞
上記実施形態あるいは上記各変形例においては、吉凶が表された紙材１０はラミネート加工あるいはポリプロピレン加工が施されていたが、必ずしもそれらの加工が施されている必要はない。この場合、上記第４の変形例と同様、図７に示すように、紙材１０の外形が吉凶早見表の外形となる。本変形例によると、上記実施形態あるいは上記各変形例に比して、吉凶早見表の強度、防水性、防汚性等の点では劣るが、吉凶早見表を安価に作成することができる。
【００３９】
また、吉凶早見表を構成するシート材は紙材に限定されるものではなく、シート状のものであれば紙材以外の材質であっても本考案を適用することができる。
【図面の簡単な説明】
【００４０】
【図１】本考案の一実施形態に係る吉凶早見表を表面側から見た図である。
【図２】上記実施形態におけるＡ−Ａ線断面図である。
【図３】上記実施形態において、吉凶早見表を裏面側から見た図である。
【図４】上記実施形態の第１の変形例におけるＡ−Ａ線断面図である。
【図５】上記実施形態の第２の変形例において、吉凶早見表を表面側から見た図である。
【図６】上記実施形態の第３の変形例において、吉凶早見表を表面側から見た図である。
【図７】上記実施形態の第４の変形例において、吉凶早見表を表面側から見た図である。
【図８】上記実施形態の第４の変形例におけるＢ−Ｂ線断面図である。
【符号の説明】
【００４１】
１０…紙材
１０ａ…表面側紙材
１０ｂ…裏面側紙材
２０…ラミネートフィルム
２０ａ…表面側ラミネートフィルム
２０ｂ…裏面側ラミネートフィルム
【図１】
0003127883.tif 000003
【図２】
0003127883.tif 000004
【図３】
0003127883.tif 000005
【図４】
0003127883.tif 000006
【図５】
0003127883.tif 000007
【図６】
0003127883.tif 000008
【図７】
0003127883.tif 000009
【図８】
0003127883.tif 000010